(57)【要約】【課題】  両面印刷に要する時間を短縮することができる複写機を提供することを目的とする。【解決手段】  １ページ目の原稿の読み取り終了後であって（ステップＳ１０２でＹｅｓ）、２ページ目の原稿の読み取りが開始された後に（ステップＳ１０３）、２ページ目の画像データに基づく画像を先に印刷し（ステップＳ１０４）、２ページ目の原稿の読み取り中又は２ページ目の画像データに基づく画像の印刷中に、必要に応じて１ページ目の画像データを回転させる処理を行う（ステップＳ１０６）。これにより、画像データを回転させる処理を行うことによる待ち時間が発生するのを防止できるので、画像データを回転させて両面印刷を行う場合であっても、印刷に要する時間が長くなることがなく、両面印刷に要する時間を短縮することができる。【選択図】  図４
2008116649.tif 000002
【特許請求の範囲】
【請求項１】
２ページの原稿を連続で読み取る連続読取手段と、
読み取った原稿の画像データを記憶する画像データ記憶手段と、
上記画像データ記憶手段から画像データを読み出して、１ページ目の画像データに基づく画像を用紙の第１面に印刷するとともに、２ページ目の画像データに基づく画像を用紙の第２面に印刷する両面印刷手段と、
両面印刷される用紙の各面における画像の方向を指定する画像方向指定手段と、
上記画像データ記憶手段に記憶されている画像データを上記画像方向指定手段により指定された方向に回転させる処理を行う回転処理手段とを備え、
上記両面印刷手段は、上記連続読取手段による１ページ目の原稿の読み取り終了後であって、２ページ目の原稿の読み取りが開始された後に、当該２ページ目の画像データに基づく画像を上記第２面に印刷し、その後に上記１ページ目の画像データに基づく画像を上記第１面に印刷し、
上記回転処理手段は、上記２ページ目の原稿の読み取り中又は上記２ページ目の画像データに基づく画像の印刷中に、上記１ページ目の画像データを上記画像方向指定手段により指定された方向に回転させることを特徴とする複写機。
【請求項２】
印刷される用紙の綴じ方向をユーザが入力する綴じ方向入力手段を備え、
上記画像方向指定手段は、入力された綴じ方向に基づいて、両面印刷される用紙の各面における画像の方向を指定することを特徴とする請求項１に記載の複写機。
【発明の詳細な説明】
【技術分野】
【０００１】
本発明は、複写機に係り、さらに詳しくは、両面印刷を行うことができる複写機に関する。
【背景技術】
【０００２】
複写機の中には、２ページの原稿を読み取り、１ページ目の画像データに基づく画像を用紙の第１面に印刷するとともに、２ページ目の画像データに基づく画像を用紙の第２面に印刷することにより、両面印刷を行うことができるようになっているものがある（例えば、特許文献１及び２）。
【０００３】
このような両面印刷を行うことができる複写機の一例として、用紙に印刷する画像の方向を変更することができるようになっているものがある。この種の複写機では、例えば、両面印刷される複数枚の用紙をステープル等で冊子状に綴じる場合に、印刷される用紙の綴じ方向をユーザが入力することにより、その綴じ方向に応じて用紙に印刷する画像の方向が自動的に変更されるようになっている。
【０００４】
複数枚の用紙を冊子状に綴じる場合の態様には、一般的に、表紙に対して左側を綴じる「左綴じ」、表紙に対して右側を綴じる「右綴じ」、表紙に対して上側を綴じる「上綴じ」などがある。上記のように、ユーザが入力した綴じ方向に応じて画像の方向が変更されるような構成を採用した場合、左綴じ又は右綴じが指定されたときには、用紙の第１面及び第２面の両方において用紙の一端側を上方として画像が印刷されるのに対して、上綴じが指定されたときには、用紙の第１面には一端側を上方として画像が印刷され、用紙の第２面には他端側を上方として画像が印刷される。
【０００５】
このように、ユーザが指定した条件によって用紙の各面における画像の方向が変更される場合には、必要に応じて、読み取った原稿の画像データを回転させる処理が行われる。上記の例では、左綴じ又は右綴じが指定された場合に用紙の第２面に印刷される画像及び上綴じが指定された場合に用紙の第２面に印刷される画像の一方が、他方の画像に対して上下反転するように１８０°回転される。
【特許文献１】特開２０００−３５２９１７号公報
【特許文献２】特開平８−１１１７７１号公報
【発明の開示】
【発明が解決しようとする課題】
【０００６】
上記のような画像を回転させる処理を行う場合には、その処理に一定の時間を要するため、読み取った原稿の画像データを回転させる処理が終了するまでは、その画像データに基づく画像を用紙に印刷する処理を開始することができない。
【０００７】
両面印刷時の処理の態様としては、１ページ目の原稿を読み取った後、その１ページ目の画像データに基づく画像を用紙の第１面に印刷するとともに２ページ目の原稿を読み取り、１ページ目の印刷終了後に２ページ目の画像データに基づく画像を用紙の第２面に印刷するような態様が一般的である。しかし、このような態様で両面印刷を行う複写機を用いて２ページ目の画像データを回転させる処理を行う場合には、１ページ目の印刷終了後に、２ページ目の画像データを回転させる処理を行わなければならない場合がある。この場合、２ページ目の画像データに基づく画像の印刷を直ちに開始させることができず、両面印刷に要する時間が長くなるといった問題がある。
【０００８】
また、２ページ目の画像データを回転させる処理を行う場合と行わない場合とで、当該２ページ目の画像データに基づく画像の印刷を開始するタイミングが異なる場合がある。この場合、２ページ目の画像データを回転させる処理を行うか否かに応じて、画像を印刷する際の印刷手段のパラメータなどを変更する必要があり、制御態様が複雑化するといった問題がある。例えば、印刷手段を構成している定着装置は、トナー像が形成された用紙に対して所定の定着温度で定着処理を施すものであるが、この定着温度は、印刷を開始するタイミングによって適切な温度が異なるため、２ページ目の画像データを回転させる処理を行うか否かに応じて変更する必要が生じる。
【０００９】
本発明は、上記の事情に鑑みてなされたものであり、両面印刷に要する時間を短縮することができる複写機を提供することを目的とする。また、本発明は、両面印刷時の制御態様を簡略化することができる複写機を提供することを目的とする。
【課題を解決するための手段】
【００１０】
第１の本発明による複写機は、２ページの原稿を連続で読み取る連続読取手段と、読み取った原稿の画像データを記憶する画像データ記憶手段と、上記画像データ記憶手段から画像データを読み出して、１ページ目の画像データに基づく画像を用紙の第１面に印刷するとともに、２ページ目の画像データに基づく画像を用紙の第２面に印刷する両面印刷手段と、両面印刷される用紙の各面における画像の方向を指定する画像方向指定手段と、上記画像データ記憶手段に記憶されている画像データを上記画像方向指定手段により指定された方向に回転させる処理を行う回転処理手段とを備え、上記両面印刷手段が、上記連続読取手段による１ページ目の原稿の読み取り終了後であって、２ページ目の原稿の読み取りが開始された後に、当該２ページ目の画像データに基づく画像を上記第２面に印刷し、その後に上記１ページ目の画像データに基づく画像を上記第１面に印刷し、上記回転処理手段が、上記２ページ目の原稿の読み取り中又は上記２ページ目の画像データに基づく画像の印刷中に、上記１ページ目の画像データを上記画像方向指定手段により指定された方向に回転させるように構成される。
【００１１】
このような構成によれば、１ページ目の原稿の読み取り終了後であって、２ページ目の原稿の読み取りが開始された後に、当該２ページ目の画像データに基づく画像を用紙の第２面に印刷するとともに、２ページ目の原稿の読み取り中又は２ページ目の画像データに基づく画像の印刷中に１ページ目の画像データを回転させ、第２面への印刷終了後、続けて回転処理後の１ページ目の画像データに基づく画像を第１面に印刷することができる。
【００１２】
したがって、１ページ目の原稿を読み取った後、その１ページ目の画像データに基づく画像を用紙の第１面に印刷するとともに２ページ目の原稿を読み取り、１ページ目の印刷終了後に２ページ目の画像データに基づく画像を用紙の第２面に印刷する構成のように、１ページ目の印刷終了後、２ページ目の画像データに基づく印刷を開始させるまでに、画像データを回転させる処理を行うことによる待ち時間が発生するのを防止できる。これにより、画像データを回転させて両面印刷を行う場合であっても、印刷に要する時間が長くなることがなく、両面印刷に要する時間を短縮することができる。
【００１３】
また、画像データを回転させる処理を行う場合と行わない場合とで、２ページ目の画像データに基づく印刷のタイミング、及び、その後に行われる１ページ目の画像データに基づく印刷のタイミングを一定に保つことができる。これにより、画像データを回転させる処理を行うか否かに応じて、定着装置などの画像を印刷する際の印刷手段のパラメータを変更したりする必要がないので、両面印刷時の制御態様を簡略化することができる。
【００１４】
第２の本発明による複写機は、上記構成に加えて、印刷される用紙の綴じ方向をユーザが入力する綴じ方向入力手段を備え、上記画像方向指定手段が、入力された綴じ方向に基づいて、両面印刷される用紙の各面における画像の方向を指定するように構成される。
【００１５】
このような構成によれば、ユーザが入力した用紙の綴じ方向に基づいて、両面印刷される用紙の各面における画像の方向を指定し、その方向で用紙の両面に画像を印刷することができる。このとき、綴じ方向に応じて画像データを回転させる処理を行う必要がある場合であっても、画像データを回転させる処理を行うことによる待ち時間が発生しないので、綴じ方向によって両面印刷に要する時間が変化するのを防止できる。また、綴じ方向に応じて、定着装置などの画像を印刷する際の印刷手段のパラメータを変更したりする必要がないので、両面印刷時の制御態様を簡略化することができる。
【発明の効果】
【００１６】
本発明によれば、画像データを回転させる処理を行うことによる待ち時間が発生するのを防止できるので、画像データを回転させて両面印刷を行う場合であっても、印刷に要する時間が長くなることがなく、両面印刷に要する時間を短縮することができる。また、画像データを回転させる処理を行う場合と行わない場合とで、２ページ目の画像データに基づく印刷のタイミング、及び、その後に行われる１ページ目の画像データに基づく印刷のタイミングを一定に保つことができるので、両面印刷時の制御態様を簡略化することができる。
【発明を実施するための最良の形態】
【００１７】
図１は、本発明の実施の形態による複写機１の構成を示した概略図である。この複写機１では、スキャナ２で読み取った原稿の画像データに基づいて、プリンタ機構３が用紙に画像を印刷することにより、コピー機能を実現することができる。スキャナ２は、原稿に向けて光を照射し、原稿からの反射光を受光することにより、その受光量に応じた信号を出力する原稿読取手段である。
【００１８】
この複写機１には、原稿を載置するための透明板４が備えられており、この透明板４上に載置された原稿に対して光を照射しつつスキャナ２を移動させることにより、原稿全体の画像データを生成することができる。また、この複写機１には、原稿トレイ５１上に載置された１ないし複数枚の原稿を１枚ずつ自動的に送り出す自動原稿供給部（ADF：Automatic Document Feeder）５が備えられており、静止したスキャナ２に対して自動原稿供給部５から原稿を送り出すことにより、原稿の画像を読み取ることもできるようになっている。
【００１９】
プリンタ機構３は、スキャナ２で読み取った原稿の画像データに基づいて、用紙に画像を印刷する。このプリンタ機構３は、給紙ローラ６、レジストローラ７、感光体ドラム８、帯電器９、ＬＥＤプリントヘッド１０、現像装置１１、転写ローラ１２、定着装置１３及び排出ローラ１４などにより構成されている。
【００２０】
感光体ドラム８は、表面に感光体層が形成された円筒状のドラムからなり、印刷時には、感光体ドラム８の表面が帯電器９により一様に帯電される。この帯電された感光体ドラム８の表面に、原稿の画像データに基づく光がＬＥＤプリントヘッド１０から照射されることにより、感光体ドラム８の表面に静電潜像が形成される。現像装置１１は、静電潜像が形成された感光体ドラム８の表面にトナーを付着させることにより、当該表面にトナー像を形成させる。
【００２１】
印刷に使用する用紙は用紙カセット１５内に収容されており、この用紙カセット１５から給紙ローラ６によって１枚ずつ送り出される。用紙カセット１５から送り出された用紙は、給紙ローラ６から排出ローラ１４に至る搬送路１６を通って感光体ドラム８側へ送られ、その先端部がレジストローラ７に到達したときに一旦停止される。そして、レジストローラ７が感光体ドラム８の回転に同期して用紙を送り出すことにより、感光体ドラム８及び転写ローラ１２間を通過する用紙に、感光体ドラム８の表面に形成されたトナー像が転写される。
【００２２】
トナー像が転写された用紙は、定着装置１３を通過した後、排出ローラ１４から排出トレイ１７上に排出される。定着装置１３では、トナー像が転写された用紙に対して所定の定着温度で加熱及び加圧を行う定着処理が施されることにより、用紙上のトナーが定着される。
【００２３】
この複写機１では、用紙の両面に画像を印刷することにより両面印刷を行うことができるようになっている。この両面印刷を実現するために、この複写機１内には、定着装置１３と排出ローラ１４の間で搬送路１６から分岐し、給紙ローラ６とレジストローラ７の間で再び搬送路１６に結合する分岐路１８が形成されている。両面印刷時には、用紙カセット１５から搬送路１６を通って送り出され、レジストローラ７、感光体ドラム８、転写ローラ１２及び定着装置１３を通過することにより第１面に画像が形成された用紙が、その後端部を排出ローラ１４に挟まれた状態で一旦停止され、排出ローラ１４が逆回転することにより後端側から送り返されるようになっている。
【００２４】
搬送路１６と分岐路１８との分岐部分には、排出ローラ１４側から送り返される用紙を搬送路１６及び分岐路１８のどちらへ導くかを切り替えるための分岐爪（不図示）が設けられている。この分岐爪の切り替えにより、排出ローラ１４が後端側から送り返した用紙は、分岐路１８を通って給紙ローラ６とレジストローラ７の間で搬送路１６に戻されることにより表裏反転され、再びレジストローラ７、感光体ドラム８、転写ローラ１２及び定着装置１３を通過する。これにより、用紙の第２面にも画像が形成された両面印刷後の用紙が、排出ローラ１４から排出トレイ１７上に排出される。
【００２５】
ここで、原稿の１ページ目の読み取り時と２ページ目の読み取り時とで、それぞれの画像が一定方向を向くように透明板４上に原稿を順次に載置して読み取りを行った場合、又は、それぞれの画像が一定方向を向くように自動原稿供給部５からスキャナ２へ原稿を順次に送り出した場合には、原稿の各ページにおける画像の配置方向と画像の読取方向とを一致させることができる。この場合、上記のように第１面への印刷時には用紙が先端側から送り出され、第２面への印刷時には後端側から送り返されるような構成の場合には、第１面と第２面とで用紙に印刷される画像の方向が１８０°異なる。
【００２６】
一方、原稿の１ページ目の読み取り時と２ページ目の読み取り時とで、それぞれの画像が１８０°異なる方向を向くように透明板４上に原稿を順次に載置して読み取りを行った場合、又は、それぞれの画像が１８０°異なる方向を向くように自動原稿供給部５からスキャナ２へ原稿を順次に送り出した場合には、原稿の各ページにおける画像の配置方向と画像の読取方向とを１８０°異ならせることができる。この場合、上記のように第１面への印刷時には用紙が先端側から送り出され、第２面への印刷時には後端側から送り返されるような構成の場合には、第１面と第２面とで用紙に印刷される画像の方向が一致する。
【００２７】
自動原稿供給部５には、１枚の原稿を表裏反転させて順次にスキャナ２へ送り出すことにより、原稿の両面の画像をスキャナ２に読み取らせることができるような機構が備えられている。このような機構として、本実施の形態では、プリンタ機構３と同様の構成により、第１面の読み取り時には原稿が先端側からスキャナ２へ送られ、第２面の読み取り時には後端側からスキャナ２へ送られるようになっている。
【００２８】
すなわち、原稿の第１面の読み取り時と第２面の読み取り時とで、それぞれの画像が１８０°異なる方向を向くように自動原稿供給部５からスキャナ２へ原稿が順次に送り出されるようになっているので、原稿の各面における画像の配置方向と画像の読取方向とを１８０°異ならせることができる。したがって、このような両面読取機構を用いて原稿の両面の画像を読み取った場合において、上記のように第１面への印刷時には用紙が先端側から送り出され、第２面への印刷時には後端側から送り返されるような構成の場合には、第１面と第２面とで用紙に印刷される画像の方向が一致することとなる。
【００２９】
図２は、この複写機１の電気的構成の一例を示したブロック図である。この複写機１には、上記のスキャナ２、自動原稿供給部５及びプリンタ機構３に加えて、操作部２０、画像メモリ２２及びページメモリ２３が備えられ、これらの動作が、プロセッサからなる制御部３０により制御されるようになっている。
【００３０】
画像メモリ２２及びページメモリ２３は、ＲＡＭ(Random Access Memory)により構成されている。スキャナ２で読み取った原稿の画像データは、画像メモリ２２に格納され、１ページ分の画像データごとにページメモリ２３に読み出される。そして、ページメモリ２３に読み出された画像データに基づいて、プリンタ機構３が用紙に画像を印刷することにより、１ページずつ印刷が行われる。両面印刷時には、２ページ分の原稿の画像データが画像メモリ２２からページメモリ２３に順次に読み出され、それらの画像データに基づく画像が用紙の第１面及び第２面にそれぞれ印刷される。
【００３１】
操作部２０は、ユーザが入力操作を行うための入力手段であり、綴じ方向入力キー２１が備えられている。この綴じ方向入力キー２１は、両面印刷される複数枚の用紙をステープル等で冊子状に綴じる場合に、印刷される用紙の綴じ方向をユーザが入力するためのものである。ユーザは、綴じ方向入力キー２１を操作することにより、表紙に対して左側を綴じる「左綴じ」、表紙に対して右側を綴じる「右綴じ」、表紙に対して上側を綴じる「上綴じ」などの中からいずれかの綴じ方向を入力することができる。
【００３２】
ここで、用紙の第１面と第２面とで印刷される画像の方向が１８０°異なるような態様で両面印刷を行う際に、上綴じが指定されている場合には、通常通りに両面印刷を行うことにより、上綴じに適した方向で用紙の両面に画像を印刷することができる。一方、左綴じ又は右綴じが指定されている場合には、その綴じ方向に適した方向で用紙の両面に画像を印刷するためには、第１面と第２面とで印刷される画像の方向が同じになるように、第１面又は第２面の一方に印刷される画像を１８０°回転させる必要がある。
【００３３】
これに対して、用紙の第１面と第２面とで印刷される画像の方向が一致するような態様で両面印刷を行う際に、左綴じ又は右綴じが指定されている場合には、通常通りに両面印刷を行うことにより、その綴じ方向に適した方向で用紙の両面に画像を印刷することができる。一方、上綴じが指定されている場合には、上綴じに適した方向で用紙の両面に画像を印刷するためには、第１面と第２面とで印刷される画像の方向が１８０°異なるように、第１面又は第２面の一方に印刷される画像を１８０°回転させる必要がある。
【００３４】
例えば、自動原稿供給部５の両面読取機構を用いて原稿の両面の画像を読み取った場合には、用紙の第１面と第２面とで印刷される画像の方向が一致するので、左綴じ又は右綴じが指定されているときには画像を回転させる必要はないが、上綴じが指定されているときには画像を１８０°回転させる必要がある。
【００３５】
図３は、制御部３０の一構成例を示した機能ブロック図である。制御部３０は、スキャナ２で読み取った原稿の画像データを画像メモリ２２に格納し、その画像データを１ページずつページメモリ２３に読み出して印刷を行うとともに、綴じ方向入力キー２１により入力された綴じ方向に応じて、画像メモリ２２から読み出した画像データを回転させる処理を行う。制御部３０は、読取制御部３１、データ読出部３２、印刷制御部３３、画像方向指定部３４及び回転処理部３５によって構成され、これらの各機能ブロックは、制御部３０が実行するコンピュータプログラムにより実現される。
【００３６】
読取制御部３１は、スキャナ２の動作を制御し、スキャナ２で読み取った原稿の画像データを画像メモリ２２に格納する。両面印刷時には、スキャナ２で２ページの原稿を連続して読み取ることにより、スキャナ２及び読取制御部３１が連続読取手段として機能する。このとき、自動原稿供給部５からスキャナ２に向けて、２枚の原稿を連続で送り出すことにより、又は、両面読取機構を用いて１枚の原稿を表裏反転させて連続で送り出すことにより、２ページの原稿を連続して読み取らせることができる。この場合には、スキャナ２及び読取制御部３１に加えて、自動原稿供給部５も連続読取手段として機能することとなる。
【００３７】
画像メモリ２２に格納された画像データは、データ読出部３２により１ページずつページメモリ２３に読み出され、印刷制御部３３がプリンタ機構３を制御することにより、ページメモリ２３に読み出された画像データに基づく画像が用紙に印刷される。両面印刷時には、上述した態様でプリンタ機構３の動作が制御されることにより、１ページ目の画像データに基づく画像が用紙の第１面に印刷されるとともに、２ページ目の画像データに基づく画像が用紙の第２面に印刷される。このとき、データ読出部３２、印刷制御部３３及びプリンタ機構３は、用紙の両面に画像を印刷するための両面印刷手段として機能する。
【００３８】
画像方向指定部３４は、綴じ方向入力キー２１によりユーザが指定した用紙の綴じ方向に基づいて、両面印刷される用紙の各面における画像の方向を指定する。すなわち、左綴じ又は右綴じが指定されたときには、用紙の第１面及び第２面の両方において用紙の一端側を上方として画像が印刷されるように画像の配置方向が指定されるのに対して、上綴じが指定されたときには、用紙の第１面には一端側を上方として画像が印刷され、用紙の第２面には他端側を上方として画像が印刷されるように画像の配置方向が指定される。
【００３９】
回転処理部３５は、画像メモリ２２からページメモリ２３に読み出された画像データに対して、画像方向指定部３４により指定された方向に画像データを回転させる処理を行う。より具体的には、ページメモリ２３に読み出した画像データを、その読み出した順序とは異なる順序で画像メモリに再び格納することにより、画像データを回転させることができる。例えば、画像データを１８０°回転させる場合には、ページメモリ２３に読み出した画像データを、その読み出した順序とは逆の順序で画像メモリ２２に再び格納することにより、用紙に印刷されるときの画像の配置方向が１８０°回転された画像データを生成することができる。
【００４０】
本実施の形態において、自動原稿供給部５の両面読取機構を用いて原稿の両面の画像を読み取る場合のように、用紙の第１面と第２面とで印刷される画像の方向が一致する場合において、左綴じ又は右綴じが指定されているときには、画像データを回転させる処理を行わなくても、その綴じ方向に適した方向で用紙の両面に画像を印刷することができる。したがって、この場合には、回転処理部３５による処理は行われないようになっている。一方、上綴じが指定されている場合には、上綴じに適した方向で用紙の両面に画像を印刷するために、回転処理部３５により画像データを１８０°回転させる処理が行われる。
【００４１】
図４は、両面印刷を行う際の制御部による処理の一例を示したフローチャートであり、自動原稿供給部５の両面印刷機構を用いて原稿の両面の画像を読み取る場合を示している。ユーザが綴じ方向入力キー２１を操作して用紙の綴じ方向を入力した後、両面印刷を開始させるための処理が行われると、まず、自動原稿供給部５からスキャナ２へ原稿が送り出されることにより１ページ目の原稿の読み取りが開始される（ステップＳ１０１）。スキャナ２により読み取られる原稿の画像データは画像メモリ２２に格納され、１ページ目の読み取りが終了すると（ステップＳ１０２でＹｅｓ）、原稿が表裏反転されることにより、連続して２ページ目の読み取りが開始される（ステップＳ１０３）。
【００４２】
２ページ目の原稿の画像データは、画像メモリ２２に格納されるのに並行してデータ読出部３２によりページメモリ２３に読み出され、そのページメモリ２３に読み出される２ページ目の画像データに基づく画像がプリンタ機構３において用紙の第２面に印刷される（ステップＳ１０４）。このとき、ユーザにより指定された用紙の綴じ方向が上綴じであれば（ステップＳ１０５でＹｅｓ）、既に読み取っている１ページ目の原稿の画像データを画像メモリ２２からページメモリ２３に読み出し、その画像データを１８０°回転させて画像メモリ２２に格納させる処理が行われる（ステップＳ１０６）。
【００４３】
その後、２ページ目の画像データに基づく用紙の第２面への画像の印刷が終了すれば（ステップＳ１０７でＹｅｓ）、続けて１ページ目の画像データに基づく画像を用紙の第１面に印刷する（ステップＳ１０８）。このとき、ユーザにより指定された用紙の綴じ方向が上綴じであれば、上記のように１８０°回転された画像データに基づいて１ページ目の画像データに基づく画像が用紙の第１面に印刷されるのに対して、指定された用紙の綴じ方向が左綴じ又は右綴じであれば（ステップＳ１０５でＮｏ）、画像メモリ２２に格納された１ページ目の画像データがそのままページメモリ２３に読み出されて、その画像データに基づく画像が用紙の第１面に印刷される。原稿が３ページ以上の場合には、図４に示したような制御を３ページ以降も同様に行うことにより、連続して両面印刷を行うことができる。
【００４４】
本実施の形態では、１ページ目の原稿の読み取り終了後であって、２ページ目の原稿の読み取りが開始された後に、２ページ目の画像データに基づく画像を先に印刷し、２ページ目の原稿の読み取り中又は２ページ目の画像データに基づく画像の印刷中に、必要に応じて１ページ目の画像データを回転させる処理を行うことができる。すなわち、１ページ目の画像データを回転させる処理に要する時間が比較的短い場合には、２ページ目の原稿の読取期間内に１ページ目の画像データを回転させることができ、上記処理に要する時間が比較的長い場合であっても、２ページ目の原稿の読取期間及び２ページ目の画像データに基づく画像の印刷期間を合わせた期間内に１ページ目の画像データを回転させることができる。
【００４５】
これにより、１ページ目の原稿を読み取った後、その１ページ目の画像データに基づく画像を用紙の第１面に印刷するとともに２ページ目の原稿を読み取り、１ページ目の印刷終了後に２ページ目の画像データに基づく画像を用紙の第２面に印刷する構成のように、１ページ目の印刷終了後、２ページ目の画像データに基づく印刷を開始させるまでに、画像データを回転させる処理を行うことによる待ち時間が発生するのを防止できる。これにより、画像データを回転させて両面印刷を行う場合であっても、印刷に要する時間が長くなることがなく、両面印刷に要する時間を短縮することができる。
【００４６】
また、画像データを回転させる処理を行う場合と行わない場合とで、２ページ目の画像データに基づく印刷のタイミング、及び、その後に行われる１ページ目の画像データに基づく印刷のタイミングを一定に保つことができる。これにより、画像データを回転させる処理を行うか否かに応じて、定着装置１３などの画像を印刷する際の印刷手段のパラメータを変更したりする必要がないので、両面印刷時の制御態様を簡略化することができる。
【００４７】
例えば、印刷手段のパラメータの一例である定着装置１３の定着温度について説明すると、両面印刷を行う際の定着装置１３における定着温度は、通常、先に印刷する面に対する定着温度に比べて、後に印刷する面に対する定着温度の方が低く設定されている。これは、先の面への印刷時に用紙の温度が上昇するため、後の面への印刷時の定着温度を低くした方が良好に定着処理を行うことができるからである。
【００４８】
このように、定着装置１３における定着温度は、用紙の温度に応じて適切な値に設定する必要があり、画像データを回転させる処理を行う場合と行わない場合とで、１ページ目及び２ページ目の画像データに基づく印刷のタイミングが変化するような構成の場合には、そのタイミングによって定着温度を変化させる必要が生じるため、制御態様が複雑になってしまう。そこで、画像データを回転させる処理を行うか否かに応じて、定着装置１３の定着温度を変更する必要がないような構成とすることにより、両面印刷時の制御態様を簡略化することができる。
【００４９】
上記実施の形態では、自動原稿供給部５の両面読取機構を用いて原稿の両面の画像を読み取る場合について説明したが、他の態様で２ページの原稿を連続で読み取った場合にも、２ページ目の原稿の読み取り中又は２ページ目の画像データに基づく画像の印刷中に、ユーザが指定した綴じ方向に基づいて、必要に応じて１ページ目の画像データを回転させる処理を行うことができる。すなわち、原稿の読取態様に応じて、用紙の第１面及び第２面に印刷される画像の方向が一致する場合と１８０°異なる場合とで、上綴じが指定されたときに１ページ目の画像データを回転させるか、左綴じ又は右綴じが指定されたときに１ページ目の画像データを回転させるかを選択すればよい。
【００５０】
また、上記実施の形態では、１ページ分の画像データに基づく印刷中に、他の１ページ分の画像データをページメモリ２３に読み出して、当該画像データを回転させる処理を行うため、ページメモリ２３が２ページ以上の容量を有している必要がある。しかし、このような構成に限らず、ページメモリ２３が１ページ以上かつ２ページ未満の容量しか有していないような構成であってもよい。この場合、２ページ目の原稿の読取期間内に、１ページ目の画像データをページメモリ２３に読み出すとともに、当該画像データを回転させる処理を行えばよい。
【図面の簡単な説明】
【００５１】
【図１】本発明の実施の形態による複写機の構成を示した概略図である。
【図２】この複写機の電気的構成の一例を示したブロック図である。
【図３】制御部の一構成例を示した機能ブロック図である。
【図４】両面印刷を行う際の制御部による処理の一例を示したフローチャートであり、自動原稿供給部の両面印刷機構を用いて原稿の両面の画像を読み取る場合を示している。
【符号の説明】
【００５２】
１  複写機
２  スキャナ
３  プリンタ機構
５  自動原稿供給部
２０  操作部
２１  綴じ方向入力キー
２２  画像メモリ
２３  ページメモリ
３０  制御部
３１  読取制御部
３２  データ読出部
３３  印刷制御部
３４  画像方向指定部
３５  回転処理部
【図１】
2008116649.tif 000003
【図２】
2008116649.tif 000004
【図３】
2008116649.tif 000005
【図４】
2008116649.tif 000006